(57)【要約】【課題】  脱水銀処理時に使用した水銀反応促進剤等の粉末状の添加剤を含む粉塵状物が付着している廃蛍光灯管の破砕片を、振動を与え移送し冷却すると共に、破砕片から粉塵状物を分離する廃蛍光灯管の粉塵状物分離装置とする。【解決手段】  粉末状の添加剤を含む粉塵状物１が付着している廃蛍光灯管の破砕片２を移送し冷却すると共に、破砕片２から粉塵状物１を分離する装置である。投入口４ａ側から排出口４ｂ側に向かって下方傾斜し、破砕片２及び添加剤１を移送する底板４ｃを有する閉鎖ケース型の振動コンベア３をベースフレーム６に装着する。底板４ｃに振動コンベア３内に破砕片２の移送方向の上方に向け送風する空気送り込み装置８と連絡する送風口４ｄを設ける。送風口４ｄに破砕片２の落下を防止するスクリーン９を設ける。振動コンベア３内の送風方向の前方に空気流により飛散する破砕片２が衝突する衝突壁４ｅを設ける。振動コンベア３の衝突壁４ｅの手前の上部に空気流により飛散する粉塵状物１を吸引する吸引作用を有する吸引口４ｇを設ける。【選択図】  図２
2005103509.tif 000002
【特許請求の範囲】
【請求項１】
粉末状の添加剤を含む粉塵状物が付着している廃蛍光灯管の破砕片を移送し冷却すると共に、破砕片から前記粉塵状物を分離する装置であり、この装置は投入口側から排出口側に向かって下方傾斜し、破砕片及び粉塵状物を移送させる底板を有する閉鎖ケース型の振動コンベアがベースフレームに装着され、前記底板に振動コンベア内に破砕片の移送方向の上方に向け送風する空気送り込み装置と連絡した送風口が設けられ、この送風口に破砕片の落下を防止するスクリーンが配設され、振動コンベア内の送風方向の前方に空気流により飛散する破砕片が衝突する衝突壁が設けられると共に、振動コンベアの衝突壁の手前の上部に空気流により飛散する粉塵状物を吸引する吸引作用を有する吸引口が設けられていることを特徴とする廃蛍光灯管の粉塵状物分離装置。
【請求項２】
吸引口が集塵機と連絡していることを特徴とする請求項１記載の廃蛍光灯管の粉塵状物分離装置。
【請求項３】
衝突壁と排出口の間に粉塵状物を吸引する吸引作用を有する第２の吸引口が設けられていることを特徴とする請求項１又は２記載の廃蛍光灯管の粉塵状物分離装置。
【請求項４】
第２の吸引口が底板に設けられ、第２の吸引口に破砕片と粉塵状物を分離するふるいが配設されていることを特徴とする請求項３記載の廃蛍光灯管の粉塵状物分離装置。
【請求項５】
第２の吸引口が集塵機と連絡していることを特徴とする請求項３又は４記載の廃蛍光灯管の粉塵状物分離装置。
【発明の詳細な説明】
【技術分野】
【０００１】
本発明は、廃蛍光灯管の処理技術に関し、詳しくは、破砕された廃蛍光灯管の破砕片に付着している、脱水銀処理時に使用した水銀反応促進剤等の粉末状の添加剤を含む粉塵状物を破砕片から分離し除去する装置に関するものである。
【背景技術】
【０００２】
蛍光灯管の製造工程で発生する不良蛍光灯や使用済みの蛍光灯管等の廃蛍光灯管は、管内に水銀が封入されているので、ガラス材料を回収再利用するためには、これを分離し除去することが公害防止上重要である。
廃蛍光灯管の処理は口金を除去した後、廃蛍光灯管を適当な大きさに破砕して水銀を除去することが行われているが、この水銀を除去する際に、水銀を含んだ破砕片は水銀反応促進剤等の粉末状の添加剤を加えられ、３００℃以下の低温で加熱処理され、破砕片に付着した水銀は産業廃棄物埋立基準値以下のレベルまで除去される。
【０００３】
処理された破砕片は加熱直後は温度が約２００℃と高く、又添加剤を１％以上含んでいるため、後処理工程の開放型ベルトコンベアでのトロンメルへ移送中に、添加剤が空中に飛散したり、ベルトが破砕片の熱により軟化し、ベルトコンベアの移送不良が発生する。  更に、後処理工程のトロンメルによる分粒時においても、添加剤を多く含むと分粒作業も不十分となる。
【０００４】
そこで、破砕片の冷却と破砕片から添加剤を分離し除去することが必要となるが、従来技術として、材料破片及び粒子を輸送すると共に分離するシステムが提案されているが、これは蛍光粉末を空気流により搬送するもので、添加剤を振動コンベアで移送するものとは異なっている。
【特許文献１】特表平１１ー５０２１５３号
【発明の開示】
【発明が解決しようとする課題】
【０００５】
上記点より本発明は、脱水銀処理時に使用した水銀反応促進剤等の粉末状の添加剤を含む粉塵状物が付着している廃蛍光灯管の破砕片を、振動を与え移送し冷却すると共に、破砕片から粉塵状物を分離する廃蛍光灯管の粉塵状物分離装置に関するものである。
【課題を解決するための手段】
【０００６】
上記課題を解決するため請求項１記載の本発明廃蛍光灯管の粉塵状物分離装置は、粉末状の添加剤を含む粉塵状物が付着している廃蛍光灯管の破砕片を移送し冷却すると共に、破砕片から前記粉塵状物を分離する装置であり、この装置は投入口側から排出口側に向かって下方傾斜し、破砕片及び粉塵状物を移送させる底板を有する閉鎖ケース型の振動コンベアがベースフレームに装着され、前記底板に振動コンベア内に破砕片の移送方向の上方に向け送風する空気送り込み装置と連絡した送風口が設けられ、この送風口に破砕片の落下を防止するスクリーンが配設され、振動コンベア内の送風方向の前方に空気流により飛散する破砕片が衝突する衝突壁が設けられると共に、振動コンベアの衝突壁の手前の上部に空気流により飛散する粉塵状物を吸引する吸引作用を有する吸引口が設けられていることを特徴とするものである。
【０００７】
このような構成とすることにより、振動コンベアの投入口から排出口に向かって下方傾斜している底板上に、投入口から粉塵状物が付着している破砕片を投入すると、破砕片は底板の振動により前進すると共に、振動で破砕片から粉塵状物が剥離し分離する。
又、振動を与えることで高温の破砕片は放熱作用を受けながら前進し、温度が徐々に低下する。
そして、底板に設けた送風口で破砕片及び分離した粉塵状物は、振動コンベア内への空気送り込み装置からの送風により空気冷却されると共に、空気流で破砕片の移送方向の上方へ向けて飛散し、重い破砕片は衝突壁に衝突し、軽い粉塵状物は吸引口に吸い込まれる。この衝突により、破砕片に付着していた粉塵状物が更に剥離して吸引口に吸い込まれ、破砕片は底板上に落下し、落下した破砕片は底板の振動で移送され、排出口から排除され回収される。
尚、送風口には破砕片の落下を防止するスクリーンが配設されているので、送風時に破砕片が送風口より落下することが防止される。
【０００８】
次に、請求項２記載の本発明廃蛍光灯管の粉塵状物分離装置は、請求項１記載の廃蛍光灯管の粉塵状物分離装置において、吸引口が集塵機と連絡していることを特徴とするものである。
【０００９】
このような構成とすることにより、吸引口から吸引された粉塵状物は集塵機で効率良く捕集され除去される。
【００１０】
次に、請求項３記載の本発明廃蛍光灯管の粉塵状物分離装置は、請求項１又は２記載の廃蛍光灯管の粉塵状物分離装置において、衝突壁と排出口の間に粉塵状物を吸引する吸引作用を有する第２の吸引口が設けられていることを特徴とするものである。
【００１１】
このような構成とすることにより、衝突壁に衝突し底板上に落下した破砕片に未だ粉塵状物が付着していても、底板上で振動により更に残りの粉塵状物が分離し、第２の吸引口から吸引され、破砕片のみが排出口から排出され回収される。
【００１２】
次に、請求項４記載の本発明廃蛍光灯管の粉塵状物分離装置は、請求項３記載の廃蛍光灯管の粉塵状物分離装置において、第２の吸引口が底板に設けられ、第２の吸引口に破砕片と粉塵状物を分離するふるいが配設されていることを特徴とするものである。
【００１３】
このような構成とすることにより、衝突壁に衝突し落下した破砕片に未だ粉塵状物が付着していても、ふるい上で更に残りの粉塵状物が分離し、第２の吸引口から粉塵状物が吸引され、破砕片のみが排出口から排出され回収される。
【００１４】
次に、請求項５記載の本発明廃蛍光灯管の粉塵状物分離装置は、請求項３又は４記載の廃蛍光灯管の粉塵状物分離装置において、第２の吸引口が集塵機と連絡していることを特徴とするものである。
【００１５】
このような構成とすることにより、第２の吸引口から吸引された粉塵状物は集塵機で効率良く捕集され除去される。
【発明の効果】
【００１６】
本発明に係る装置によれば、破砕片から粉塵状物を分離するに際し、移送時の底板の振動による分離と、空気送り込み装置からの空気流による衝突壁への衝突時の衝撃による分離により、容易に効果的に行うことができる。
又、衝突壁への衝突後、落下した破砕片に未だ粉塵状物が付着していても、ふるいにより更に分離するので、破砕片のみの回収が可能となり、後処理工程のトロンメルによる分粒時に分粒作業が容易となる。
又、吸引口及び第２の吸引口から吸引された粉塵状物は、集塵機により容易に捕集され除去されるので、捕集能率の高いものとなる。
【００１７】
高温の破砕片は底板の振動により放熱されながら移送されるので、温度が徐々に低下すると共に、空気送り込み装置からの送風により空気冷却されて排出されるので、後処理工程の開放型ベルトコンベアでのトロンメルの移送時に、ベルトコンベアの熱軟化による移送不良の発生が防止される。
【発明を実施するための最良の形態】
【００１８】
以下、本発明廃蛍光灯管の粉塵状物分離装置の一実施の形態を図面に基づき説明する。  図１乃至図３は本発明装置の実施の形態を示すものである。
本発明装置は、粉末状の添加剤を含む粉塵状物１が付着している廃蛍光灯管の破砕片２を移送し冷却すると共に、破砕片２から粉塵状物１を分離する装置である。
粉塵状物１として、脱水銀処理時に使用した水銀反応促進剤等の添加剤のほか、粉塵状に破砕されたガラス、その他これ等に付着している塵も含む。破砕片２は加熱処理を受けた直後で、約２００℃の高温状態となっている。
【００１９】
図中３は閉鎖ケース型の振動コンベアであり、この振動コンベア３は横長の鋼板製のケース４の一方の端部側の上部に投入口４ａが設けられると共に、他方の端部側の下部に排出口４ｂが設けられ、底板４ｃは投入口４ａ側から排出口４ｂ側に向かって下方傾斜し、底板４ｃの外側に振動モーター５が固着されている。
そして、ケース４は角パイプ製のベースフレーム６にバネ等の加振手段７で振動可能な状態で装着されている。
したがって、投入口４ａから投入された破砕片２は、底板４ｃ上で底板４ｃの振動により付着している粉塵状物１が分離されながら排出口４ｂ側に向け前進する。この振動により高温の破砕片２は放熱作用を受け温度が低下する。
【００２０】
底板４ｃの途中に送風口４ｄが設けられ、この送風口４ｄを通り、ベースフレーム６に固着されたブロワー等の空気送り込み装置８からケース４内に空気を送り込む。
空気送り込み装置８からの送風は、ケース４の下方から破砕片２の移送方向の上方に向けて吹き上げることができるように送風管８ａが配設されている。
送風口４ｄには通過する破砕片２の落下を防止するためのパンチングメタル等のスクリーン９が設けられている。
送風口４ｄを通過する粉塵状物１はスクリーン９から落下することなく、総て吹き上げられる。このスクリーン９上を破砕片２及び粉塵状物１が通過すると、送風で移送方向の斜め上方へ吹き飛ばされる。
この送風により、高温の破砕片２は冷却され温度が低下する。冷却効果を上げるため、冷風装置から送風するようにしてもよい。
又、スクリーン９の真上のケース４上面に送風状態やスクリーン９の目詰まり状態を確認する板ガラスを張設した覗き窓１０が設けられている。この覗き窓１０は開閉可能とすることが好ましい。
【００２１】
ケース４内の送風方向の前方に垂直な衝突壁４ｅが破砕片１の移送方向の上方を塞ぐように設けられている。
又、ケース４内は破砕片２及び粉塵状物１が送風で吹き飛ばされ飛散し易いように送風方向に向かって天井部が高く形成されて、広い飛散スペース４ｆが確保され、衝突壁４ｅの手前の天井部に吸引作用を有する吸引口４ｇが設けられている。この吸引口４ｇは吸引管１１ａを介して集塵機１１と連絡している。
したがって、送風による空気流で飛散する破砕片２は衝突壁４ｅに衝突して落下するが、粉塵状物１は吸引口４ｇから吸引管１１ａを経て集塵機１１に捕集され除去される。
【００２２】
衝突壁４ｅに衝突して落下した破砕片２は、底板４ｃからそのまま排出口４ｂへ移送され、ベルトコンベア１２上へ排出することができる。
又、図１乃至図３に示すように、衝突壁４ｅと排出口４ｂの間の底板４ｃに吸引作用を有する第２の吸引口４ｈを設けて、この第２の吸引口４ｈにパンチングメタル等で粉塵状物１が通過可能なふるい１３を水平に配設することが好適である。この第２の吸引口４ｈは吸引管１１ｂを介して集塵機１１と連絡している。
したがって、衝突壁４ｅに衝突し落下した破砕片２に未だ粉塵状物１が付着していても、このふるい１３により更に破砕片２と粉塵状物１が分離され、粉塵状物１は第２の吸引口４ｈから吸引管１１ｂを経て集塵機１１に捕集されて除去され、破砕片２は排出口４ｂからベルトコンベア１２上に排出される。
【００２３】
この第２の吸引口４ｈは、上述のように底板４ｃに設けても良いが、図４に示すように、衝突壁４ｅと排出口４ｂの間の天井部に設けることもできる。この場合は当然ふるい１３は不要であるが、必要により粉塵状物１が通過可能なスクリーンを設けても良い。
又、第２の吸引口４ｈは衝突壁４ｅと排出口４ｂの間の側部に設けることもできる。
【００２４】
以上、本発明を実施の形態に基づき具体的に説明したが、本発明は上記実施形態に限定されるものではない。
【図面の簡単な説明】
【００２５】
【図１】本発明装置の一実施の形態を示す側面図である。
【図２】本発明装置の一実施の形態を示す断面図である。
【図３】本発明装置の一実施の形態を示す平面図である。
【図４】本発明装置の他の実施の形態を示す側面図である。
【符号の説明】
【００２６】
１  粉塵状物
２  破砕片
３  振動コンベア
４  ケース
４ａ  投入口
４ｂ  排出口
４ｃ  底板
４ｄ  送風口
４ｅ  衝突壁
４ｆ  飛散スペース
４ｇ  吸引口
４ｈ  第２の吸引口
５  振動モーター
６  ベースフレーム
７  加振手段
８  空気送り込み装置
９  スクリーン
１１  集塵機
１３  ふるい
【図１】
2005103509.tif 000003
【図２】
2005103509.tif 000004
【図３】
2005103509.tif 000005
【図４】
2005103509.tif 000006